(57)【要約】      （修正有）【課題】圧縮ガスで弾丸を発射する玩具銃をガスカートリッジの交換無しに長時間使用できるようにし、かつ、ガスカートリッジの携帯性を向上させる。【解決手段】玩具銃内に配置される気室ボディ１２２は、気室１２６を形成する。気室ボディ１２２内の圧縮ガスは、ガス排出部を通過し、弾丸保持部に保持された弾丸を銃口から発射させる。バルブは、操作部による操作に応じて、気室ボディ１２２とガス排出部との連通を開閉する。玩具銃は、複数のガスカートリッジ取付部２１０を備える。ガスカートリッジ取付部２１０には、ガスボンベ１０２が取り付けられる。各ガスカートリッジ取付部２１０には、第１の弁部が設けられる。ガスカートリッジ取付部２１０に取り付けられたガスボンベ１０２内の圧縮ガスは、ガス導入部３０１を経て、気室１２６内に導かれる。【選択図】図１２
2012042116.tif 000002
【特許請求の範囲】
【請求項１】
弾丸を保持する弾丸保持部と、
気室を形成する気室ボディと、
前記気室内の圧縮ガスを前記弾丸保持部に保持された弾丸に導くガス排出部と、
前記気室と前記ガス排出部との連通を開閉するバルブと、
前記バルブを開閉させるための操作部と、
圧縮ガスを供給するガスカートリッジが取り付けられる複数のガスカートリッジ取付部と、
前記ガスカートリッジ取付部のそれぞれに設けられる第１の弁部と、
前記ガスカートリッジ取付部に取り付けられたガスカートリッジから前記気室内に圧縮ガスを導くガス導入部と、
を備える玩具銃。
【請求項２】
前記第１の弁部は、逆止弁を含む、
請求項１記載の玩具銃。
【請求項３】
前記ガス導入部は、前記気室側に設けられるユニット被取付部と、前記ガスカートリッジ取付部側に設けられ前記ユニット被取付部に対して着脱自在のユニット取付部とを含んで連結分離自在であり、
前記ユニット取付部には、第２の弁部が設けられ、
前記ガスカートリッジ取付部と前記第１の弁部と前記ユニット取付部と前記第２の弁部とは、ユニット化され、まとめて着脱自在である、
請求項１又は２記載の玩具銃。
【請求項４】
前記第２の弁部は、逆止弁を含む、
請求項３記載の玩具銃。
【請求項５】
前記気室ボディと前記ガス導入部と前記ガスカートリッジ取付部と前記第１の弁部と前記バルブとは、ユニット化され、まとめて着脱自在である、
請求項１又は２記載の玩具銃。
【請求項６】
圧縮ガスを供給するガスカートリッジが取り付けられる複数のガスカートリッジ取付部と、
玩具銃に備わるユニット被取付部に対して着脱自在で、前記ガスカートリッジ取付部に取り付けられたガスカートリッジから供給された圧縮ガスを前記玩具銃内に導くユニット取付部と、
前記ガスカートリッジ取付部のそれぞれに設けられる第１の弁部と、
前記ユニット取付部に設けられる第２の弁部と、
を備える取付器具。
【請求項７】
弾丸を保持する弾丸保持部を備える玩具銃に対して着脱自在で、気室を形成する気室ボディと、
前記玩具銃に備わり前記気室内の圧縮ガスを前記弾丸保持部に保持された弾丸に導くガス排出部と、前記気室との連通を開閉するバルブと、
圧縮ガスを供給するガスカートリッジが取り付けられる複数のガスカートリッジ取付部と、
前記ガスカートリッジ取付部のそれぞれに設けられる第１の弁部と、
前記ガスカートリッジ取付部に取り付けられたガスカートリッジから前記気室内に圧縮ガスを導くガス導入部と、
を備える取付器具。
【発明の詳細な説明】
【技術分野】
【０００１】
本発明は、ガスカートリッジを装着でき、このガスカートリッジ内の圧縮ガスによる圧力で弾丸を発射する玩具銃、及び、この玩具銃にガスカートリッジを取り付けるための取付器具に関する。
【背景技術】
【０００２】
従来、ガスカートリッジを装着でき、このガスカートリッジ内の圧縮ガスによる圧力で弾丸を発射する玩具銃が普及している。その一例は、特許文献１に記載の玩具銃である。
【０００３】
特許文献１の記載に従うと、この玩具中には、ボンベ２２（ガスカートリッジ）が一つ装着される。ボンベ２２は、圧縮された二酸化炭素ガスを収納し、玩具銃の気室２４内を二酸化炭素ガスで充満させる。玩具銃の使用者は、コッキングヘッド３４を後方へ引いてピストン５１を後方に位置付け、その後にこのコッキングヘッド３４を前進させて元の位置に戻す。この状態で、使用者がトリガ６１を引くと、ピストン５１は前進する。ピストン５１が前進すると、シリンダー４４内のエアーはバレル１５内に放出され、バレル１５内の弾丸１２は銃口１６から発射される。また、ピストン５１が前進すると、ハンマーバー３１が前進してバルブ２６に当たり、バルブ２６による気室２４とハンマーバー収納室２５の遮断を破る。その結果、気室２４内のガスは、ハンマーバー収納室２５内に放出され、ハンマーバー３１を後方へ押し、コッキングヘッド３４を後退させてピストン５１を後方に位置付ける。以後、トリガ６１を引くたびにコッキングヘッド３４は自動的に前進後退する。
【先行技術文献】
【特許文献】
【０００４】
【特許文献１】実開平７―４１２９２号公報
【発明の概要】
【発明が解決しようとする課題】
【０００５】
特許文献１に記載の玩具銃では、コッキングヘッド３４が自動的に前進後退し、実銃さながらに、短時間で多くの弾丸が発射される。このため、特許文献１に記載の玩具銃は、圧縮ガスを多量に消費する。
【０００６】
ここで、ボンベ２２を交換せずに玩具銃を長時間使うために、ボンベ２２を大型にすることが考えられる。しかしながら、この場合、ボンベ２２を持ち歩くことが煩わしくなる。
【０００７】
本発明の目的は、圧縮ガスで弾丸を発射する玩具銃をガスカートリッジの交換無しに長時間使用できるようにし、かつ、ガスカートリッジの携帯性を向上させることである。
【課題を解決するための手段】
【０００８】
本発明の玩具銃は、弾丸を保持する弾丸保持部と、気室を形成する気室ボディと、前記気室内の圧縮ガスを前記弾丸保持部に保持された弾丸に導くガス排出部と、前記気室と前記ガス排出部との連通を開閉するバルブと、前記バルブを開閉させるための操作部と、圧縮ガスを供給するガスカートリッジが取り付けられる複数のガスカートリッジ取付部と、前記ガスカートリッジ取付部のそれぞれに設けられる第１の弁部と、前記ガスカートリッジ取付部に取り付けられたガスカートリッジから前記気室内に圧縮ガスを導くガス導入部と、を備える。
【０００９】
本発明の取付器具は、圧縮ガスを供給するガスカートリッジが取り付けられる複数のガスカートリッジ取付部と、玩具銃に備わるユニット被取付部に対して着脱自在で、前記ガスカートリッジ取付部に取り付けられたガスカートリッジから供給された圧縮ガスを前記玩具銃内に導くユニット取付部と、前記ガスカートリッジ取付部のそれぞれに設けられる第１の弁部と、前記ユニット取付部に設けられる第２の弁部と、を備える。
【００１０】
別の面から見た本発明の取付器具は、弾丸を保持する弾丸保持部を備える玩具銃に対して着脱自在で、気室を形成する気室ボディと、前記玩具銃に備わり前記気室内の圧縮ガスを前記弾丸保持部に保持された弾丸に導くガス排出部と、前記気室との連通を開閉するバルブと、圧縮ガスを供給するガスカートリッジが取り付けられる複数のガスカートリッジ取付部と、前記ガスカートリッジ取付部のそれぞれに設けられる第１の弁部と、前記ガスカートリッジ取付部に取り付けられたガスカートリッジから前記気室内に圧縮ガスを導くガス導入部と、を備える。
【発明の効果】
【００１１】
本発明によれば、ガスカートリッジを複数装着できる。また、ガスカートリッジ取付部は、第１の弁部によって閉止できる。このために、大型のガスカートリッジではなく小型のガスカートリッジを複数用いて玩具銃を使用できるようになる。したがって、圧縮ガスで弾丸を発射する玩具銃をガスカートリッジの交換無しに長時間使用できるようになる。さらに、ガスカートリッジの携帯性が向上する。加えて、ガスカートリッジが小型化できることにより、玩具銃の柔軟な設計が可能になる。
【図面の簡単な説明】
【００１２】
【図１】第一の実施の形態における、玩具銃の左側面図である。
【図２】第一の実施の形態における、玩具銃の内部構造を示す左断面図である。
【図３】第一の実施の形態における、ボルトが押圧位置に位置付けられた状態の玩具銃の内部構造を示す左断面図である。
【図４】第一の実施の形態における、ガスボンベの斜視図である。
【図５】第一の実施の形態における、ボンベ取付器具の内部構造を示す左断面図である。
【図６】第一の実施の形態における、連通路の左断面図である。
【図７】第一の実施の形態における、ユニット被取付部が取り付けられた状態の連通路の左断面図である。
【図８】第一の実施の形態の変形例として示す、連通路の左断面図である。
【図９】第一の実施の形態の変形例として示す、ユニット被取付部が取り付けられた状態の連通路の左断面図である。
【図１０】第一の実施の形態における、一のガスカートリッジ取付部にのみガスボンベが取り付けられた状態のボンベ取付器具の左断面図である。
【図１１】第一の実施の形態における、全てのガスカートリッジ取付部にガスボンベが取り付けられた状態のボンベ取付器具の左断面図である。
【図１２】第一の実施の形態における、全てのガスカートリッジ取付部にガスボンベが取り付けられたボンベ取付器具を気室ボディに連結させた状態の左断面図である
【図１３】第一の実施の形態における、一のガスカートリッジ取付部にのみガスボンベが取り付けられたボンベ取付器具を気室ボディに連結させた状態の左断面図である。
【図１４】第二の実施の形態における、全てのガスカートリッジ取付部が取り付けられた状態の玩具銃の左断面図である。
【図１５】第三の実施の形態における、ボンベユニットの左断面図である。
【図１６】第三の実施の形態における、玩具銃の左断面図である。
【図１７】第三の実施の形態の変形例として示す、ボンベユニットの左断面図である。
【発明を実施するための形態】
【００１３】
実施の一形態を、図１ないし図１３に基づいて説明する。本実施の形態を、説明の便宜上、第一の実施の形態と呼ぶ。図１は、玩具銃１０１の左側面図である。玩具銃１０１には、ガスボンベ１０２（ガスカートリッジ）が取り付けられる。使用者は、玩具銃１０１を使用する場合、掌でグリップ１０４を握り、トリガ１０５に指をかけ、銃口１０３を射撃対象物（例えば、的）に向け、トリガ１０５を引く。トリガ１０５が引かれると、ガスボンベ１０２に封入された圧縮ガスの圧力によって、弾丸Ｂが銃口１０３から発射される。以下、銃口１０３がある側を玩具銃１０１の前方側と呼ぶ。また、グリップ１０４がある側を玩具銃１０１の後方側と呼ぶ。
【００１４】
図２は、玩具銃１０１の内部構造を示す左断面図である。図２中、圧縮ガスが満たされている部分は、ドットで埋められている。玩具銃１０１は、フレーム１１１と、マガジン１１２と、バレル１１３と、ボルト１２１と、気室ボディ１２２と、バルブ１２３と、ボルトスプリング１２４、バルブスプリング１２９とを備える。フレーム１１１は、銃身の一部をなし、玩具銃１０１の前後方向を規定する。
【００１５】
マガジン１１２は、気室ボディ１２２に設けられた弾丸導入口１９０ａ（後述）から下方に延びている。マガジン１１２は、一方の端部のみ開口している筒状をなし、閉口端を下方に位置させてフレーム１１１に対し着脱される。マガジン１１２内には、マガジンスプリング１１２ａとマガジンフォロア１１２ｂとが配置される。マガジンスプリング１１２ａは、マガジン１１２の閉口端とマガジンフォロア１１２ｂとを繋ぐ。マガジン１１２には、弾丸Ｂが収納される。マガジン１１２内の弾丸Ｂは、マガジンスプリング１１２ａによって押し上げられ、弾丸導入口１９０ａから通路１９０（後述）に送り込まれる。
【００１６】
バレル１１３は、銃身の前後方向に延び、フレーム１１１から玩具銃１０１の前方に突出する。バレル１１３の前端は、銃口１０３となっている。バレル１１３の後端は、フレーム１１１の前方側に連結されている。なお、バレル１１３は、フレーム１１１の内部に収納されてもよい。
【００１７】
気室ボディ１２２は、フレーム１１１に収納される。気室ボディ１２２には、通路１９０が形成される。通路１９０は、バレル１１３における銃口１０３とは反対側の後方端部１０３ａから銃身の前後方向に直線状に延び、気室１２６（後述）に連通する。マガジン１１２から弾丸導入口１９０ａに供給された弾丸Ｂは、マガジンフォロア１１２ｂに押し上げられ、通路１９０内に位置付けられ、弾丸保持部１９２によって保持される。弾丸保持部１９２の一例は、通路１９０の内空間の上面に形成された微小窪みである。
【００１８】
気室ボディ１２２の内部には、気室１２６が形成される。気室１２６の前方側からは、前述の通路１９０が延びている。気室１２６の後方側は、後蓋１２２ａで閉じられる。後蓋１２２ａには、銃身の前後方向に貫通する貫通孔１２２ｂが形成される。後蓋１２２ａの前方の端面で貫通孔１２２ｂの周りには、リング状のパッキン１２２ｃが取り付けられる。貫通孔１２２ｂの後方側は、内径が大きくなっていて、嵌合孔１２２ｄとなっている。嵌合孔１２２ｄには、ボルト１２１に備わる当接部１２１ｅ（後述）が入り込む。
【００１９】
気室ボディ１２２には、ガス導入路１２２ｅが形成される。ガス導入路１２２ｅのために、気室ボディ１２２は下方に突出した形状をなしていて、フレーム１１１に嵌めこまれて下方に突出している。
【００２０】
ボルト１２１は、フレーム１１１に収納される。ボルト１２１は、筒状をなし、玩具銃１０１の前後方向に延びている。ボルト１２１の前方側は、開口端１２１ａになっている。ボルト１２１の後方側は、閉口端１２１ｂになっている。ボルト１２１の上面からは、レバー１２１ｃが、上方に突出する。レバー１２１ｃの一部は、フレーム１１１から上方に突出している。ボルト１２１の後方側の下面からは、係止突起１２１ｄが、下方に突出する。閉口端１２１ｂからボルト１２１の内空間に向けて、当接部１２１ｅが突出する。
【００２１】
ボルト１２１は、銃身の前後方向に移動自在である。ボルト１２１は、使用者がトリガ１０５を引くと前進を開始し、ボルトスプリング１２４と圧縮ガスの圧力とによって押圧位置１２１Ａと後退位置１２１Ｂとの間を往復する。ここで、後退位置１２１Ｂとは、玩具銃１０１の後方側で、当接部１２１ｅがバルブ１２３の摺動突起１２３ｂ（後述）から離反しているようなボルト１２１の位置である。図２では、ボルト１２１は、後退位置１２１Ｂに位置付けられている。また、押圧位置１２１Ａとは、後退位置１２１Ｂよりも玩具銃１０１の前方側で、当接部１２１ｅがバルブ１２３の摺動突起１２３ｂに接しているようなボルト１２１の位置である。ボルト１２１が１２１Ａに位置付けられている様子は、図３に示す。
【００２２】
ボルトスプリング１２４は、ボルト１２１の閉口端１２１ｂの外側面と、フレーム１１１の後部内側面１１１ｂとの間に位置する。ボルトスプリング１２４は、後退位置１２１Ｂに位置付けられているボルト１２１を、押圧位置１２１Ａに向けて前方に押す。
【００２３】
バルブ１２３は、気室１２６と通路１９０との間に位置付けられ、気室１２６の内部に配置される。バルブ１２３の後端側には、フランジ部１２３ａと摺動突起１２３ｂとが形成される。フランジ部１２３ａは、バルブ１２３の外周から放射方向に突出する。摺動突起１２３ｂは、貫通孔１２２ｂに入り込み、嵌合孔１２２ｄ側に突出する。バルブ１２３は、圧縮ガスが通過するための、直線路１２３ｃと傾斜路１２３ｄとを形成する。直線路１２３ｃは、バルブ１２３の前方の端面に開口し、銃身の前後方向に延びている。傾斜路１２３ｄは、直線路１２３ｃに連なっていて、この直線路１２３ｃに対して傾斜する方向に延び、フランジ部１２３ａと摺動突起１２３ｂとの間に開口する。バルブ１２３の前端側の外周には、Ｏリング１２７とワッシャ１２８とが取り付けられる。Ｏリング１２７は、ワッシャ１２８と気室ボディ１２２の内壁とに挟まれる。
【００２４】
バルブスプリング１２９は、ワッシャ１２８とフランジ部１２３ａの間に位置し、バルブ１２３の外周に巻きつくように配置される。バルブスプリング１２９は、ワッシャ１２８を前方に押してＯリング１２７を気室ボディ１２２の内壁に押し付ける。また、バルブスプリング１２９は、フランジ部１２３ａをパッキン１２２ｃに押し付ける。これにより、通路１９０と気室１２６との連通が閉止される。
【００２５】
図３は、ボルト１２１が押圧位置１２１Ａに位置付けられた状態の玩具銃１０１の内部構造を示す左断面図である。ボルト１２１が前進して押圧位置１２１Ａまで達すると、気室ボディ１２２の後方側の外周部分がボルト１２１の開口端１２１ａ（図２参照）に嵌合する。ボルト１２１がさらに前進すると、当接部１２１ｅが、嵌合孔１２２ｄ内に突出しているバルブ１２３の摺動突起１２３ｂを前方に押す。これにより、バルブ１２３は前方側にスライド移動し、フランジ部１２３ａがパッキン１２２ｃから離反して、通路１９０と気室１２６との連通が開放される。
【００２６】
通路１９０と気室１２６との連通が開放されると、気室１２６に満たされた圧縮ガスは、図３中の矢印に示すように、傾斜路１２３ｄ及び直線路１２３ｃを通過して通路１９０に流入し、弾丸保持部１９２に保持された弾丸Ｂ（図２参照）の後面を押す。その結果、弾丸Ｂは、銃口１０３（図２参照）から飛び出す。ここに、傾斜路１２３ｄと直線路１２３ｃと通路１９０とは、気室１２６内の圧縮ガスを弾丸保持部１９２に保持された弾丸Ｂに導くガス排出部１９４を構成する。そして、バルブ１２３は、気室１２６とガス排出部１９４との連通を開閉する。
【００２７】
また、通路１９０と気室１２６との連通が開放されると、圧縮ガスは、図３中の矢印に示すように、貫通孔１２２ｂの内壁面と摺動突起１２３ｂとの間の空隙Ｓにも入り込む。この圧縮ガスは、貫通孔１２２ｂを通過し、当接部１２１ｅを後方に押す。これにより、ボルト１２１は、後退を開始し、後退位置１２１Ｂ（図２参照）に達する。後退位置１２１Ｂに達したボルト１２１は、ボルトスプリング１２４に押されて再び前進する。そして、ボルト１２１は、押圧位置１２１Ａに達すると、バルブ１２３の摺動突起１２３ｂを前方に押す。このように、ボルト１２１は、前進と後退とを繰り返す往復運動をする。そしてボルト１２１は、一往復する間にバルブ１２３に当接及び離反し、通路１９０と気室１２６との連通を開閉する。
【００２８】
ところで、当接部１２１ｅが摺動突起１２３ｂから離反すると、バルブスプリング１２９はバルブ１２３を後方に押し返す。これにより、バルブ１２３は後方にスライド移動し、フランジ部１２３ａがパッキン１２２ｃに密接する。その結果、通路１９０と気室１２６との連通は閉止される。その後、気室１２６内は、ガス導入路１２２ｅから供給される圧縮ガスで満たされる。
【００２９】
図２を再び参照する。玩具銃１０１は、トリガ１０５と、トリガスプリング１３１と、ボルトシア１３２と、ボルトシアスプリング１３３とを備える。トリガ１０５は、グリップ１０４（図１参照）の前方に位置する。トリガ１０５は、支点１０５ａを中心に回転自在にフレーム１１１に取り付けられている。トリガ１０５は、指掛部１０５ｄと後方延出部１０５ｂとを有する。指掛部１０５ｄは、支点１０５ａから下方に延びる。後方延出部１０５ｂは、支点１０５ａから後方に延びる。後方延出部１０５ｂの上面からは、ボルトシア押上部１０５ｃが上方に突出する。トリガスプリング１３１は、指掛部１０５ｄを、図２における時計回りに押す。
【００３０】
ボルトシア１３２は、ボルトシア押上部１０５ｃの上方かつボルト１２１の下方で、これらに挟まれる位置に設けられる。ボルトシア１３２は、軸芯１３２ａを中心に回動自在にフレーム１１１に取り付けられる。ボルトシア１３２は、平板状の前方突出部１３２ｂと、側面視扇形形状に広がる後方突出部１３２ｃとを有する。前方突出部１３２ｂは、軸芯１３２ａよりも前方に突出する。後方突出部１３２ｃは、軸芯１３２ａよりも後方に突出する。後方突出部１３２ｃの上方には、ボルト１２１の係止突起１２１ｄを止めるストッパ部１３２ｄが設けられる。ボルトシアスプリング１３３は、後方突出部１３２ｃの下面に当接し、ボルトシア１３２を図２における反時計回りに回転させ、ストッパ部１３２ｄを上方に持ち上げる。ストッパ部１３２ｄが上方に持ち上げられているとき、ストッパ部１３２ｄはボルト１２１の係止突起１２１ｄに引っかかり、ボルト１２１の前進を阻止している。
【００３１】
使用者がレバー１２１ｃを持って後方に動かすと、ボルト１２１が後方に動き、係止突起１２１ｄがストッパ部１３２ｄを乗り越える。続いて、使用者がレバー１２１ｃから手を離すと、ボルト１２１はボルトスプリング１２４に押されて前進し、係止突起１２１ｄがストッパ部１３２ｄに引っ掛かる。その後、使用者が指でトリガ１０５を後方に引くと、トリガ１０５は、図２における反時計回りに回転し、ボルトシア押上部１０５ｃを動かして前方突出部１３２ｂを上方に変位させる。これにより、ボルトシア１３２は、図２における時計回りに回転し、係止突起１２１ｄが下方に変位する。その結果、ボルト１２１は、ボルトスプリング１２４に押されて前方に進み、バルブ１２３が前方に動いて、気室１２６とガス排出部１９４との連通が開閉される。なお、図２では、トリガ１０５が後方に引かれたときのトリガ１０５、トリガスプリング１３１、ボルトシア１３２及びボルトシアスプリング１３３の状態を、二点鎖線で示されている。
【００３２】
使用者がトリガ１０５から指を離すと、トリガスプリング１３１が指掛部１０５ｄを図２における時計回りに押し、ボルトシア押上部１０５ｃを下方に変位させる。ここで、ボルトシアスプリング１３３は、ボルトシア１３２を図２における反時計回りに回転させるよう押している。このために、前方突出部１３２ｂは下方に動き、ストッパ部１３２ｄは上方に動く。その結果、ボルト１２１の前進は阻止され、バルブ１２３が後方に押され、気室１２６とガス排出部１９４との連通が閉止される。このように、トリガ１０５は、バルブ１２３を開閉させるための操作部１３０を構成する。
【００３３】
ここで、玩具銃１０１に用いられるガスボンベ１０２と、このガスボンベ１０２を玩具銃１０１に取付けるためのボンベ取付器具２０１について考える。ボンベ取付器具２０１は、特許請求の範囲における「取付器具」に相当する。まず、図１を参照する。ガスボンベ１０２は、本実施の形態では、ボンベ取付器具２０１内に収納され、トリガ１０５の前方に位置付けられる。ボンベ取付器具２０１は、ガスボンベ１０２を収納した状態で、ユニット被取付部１２２ｆ（図２も参照）に装着される。このユニット被取付部１２２ｆは、ガス導入路１２２ｅの下方の端部に設けられている。
【００３４】
ボンベ取付器具２０１は、上下に長い箱型形状をなす。ボンベ取付器具２０１の上面からは、ユニット取付部２０２が突出する。ボンベ取付器具２０１の内部には、ガスボンベ１０２を二本収納するための収納空間２０３が形成される。収納空間２０３内には、仕切部２０３ａが設けられる。仕切部２０３ａは、収納空間２０３を、個々のガスボンベ１０２を配置するための配置空間２０４ａに区画する。ボンベ取付器具２０１の側面には、収納空間２０３に通じるガスボンベ導入口２０４が開口する。収納空間２０３内でユニット取付部２０２とは反対側の取付器具底部２０５の近くには、二つのボンベ押え２０６が配置される。ボンベ押え２０６のそれぞれからは、シャフト２０７が延びる。いずれのシャフト２０７も、取付器具底部２０５を貫通する。ハンドル２０８は、収納空間２０３の外部で、各シャフト２０７の端部に設けられる。また、各シャフト２０７の外周には、ネジ部２０９が設けられる。ネジ部２０９は、取付器具底部２０５に螺合する。使用者がハンドル２０８を回転させると、ボンベ押え２０６が上下に動く。使用者がハンドル２０８の回転を止めると、取付器具底部２０５とネジ部２０９との螺合によってボンベ押え２０６は落下することなく停止する。ボンベ押え２０６、シャフト２０７、ハンドル２０８及びネジ部２０９は、配置空間２０４ａに配置されたガスボンベ１０２を動かしてガスボンベ１０２の封止材１０２ｃ（図４等参照）に針部２１７ａ（図６等参照）が突き刺さるようにし、その状態でガスボンベ１０２を固定する。
【００３５】
なお、配置空間２０４ａに配置されたガスボンベ１０２の封止材１０２ｃに針部２１７ａを突き刺させてガスボンベ１０２を固定する技術として、ボンベ押え２０６、シャフト２０７、ハンドル２０８及びネジ部２０９に代えて、米国特許第７２９０５３９号明細書に記載されている技術を採用してもよい。この場合、回転ローラ付のパネルをボンベ取付器具２０１に取り付けてこのパネルが収納空間２０３を開閉するようにする。パネルが閉じられると、回転ローラが収納空間２０３のガスボンベ１０２を押す。ガスボンベ１０２が回転ローラに押されると、ガスボンベ１０２が収納空間２０３内で固定され、針部２１７ａがガスボンベ１０２の封止材１０２ｃに突き刺さる。
【００３６】
図４は、ガスボンベ１０２の斜視図である。ガスボンベ１０２は、円筒状をなす。ガスボンベ１０２内には、圧縮ガスが封止されている。圧縮ガスの例は、炭酸ガス、フロンガス、代替フロンガス等である。ガスボンベ１０２の一方の第１の端部１０２ａは、円錐状に窄まっている。第１の端部１０２ａの先端には、ガス噴出口１０２ｂが設けられる。ガス噴出口１０２ｂは、封止材１０２ｃにより封止される。ガスボンベ１０２の他方の第２の端部１０２ｄは、閉口端となっている。
【００３７】
図５は、ボンベ取付器具２０１の内部構造を示す左断面図である。図６は、連通路２１３の左断面図である。図５及び図６を参照する。ボンベ取付器具２０１は、ガスカートリッジ取付部２１０と、第１の弁部２１１と、第２の弁部２１２とを有する。また、ボンベ取付器具２０１には、連通路２１３が形成されている。本実施の形態では、ガスカートリッジ取付部２１０と第１の弁部２１１とユニット取付部２０２と第２の弁部２１２とは、ユニット化されてボンベ取付器具２０１に備わっている。このため、ボンベ取付器具２０１は、ユニット被取付部１２２ｆに対してまとめて着脱自在となっている。
【００３８】
連通路２１３は、主路２１３ａを有する。主路２１３ａは、ユニット取付部２０２に設けられ、このユニット取付部２０２の内部で延びている。主路２１３ａは、二本の分岐路２１３ｂに分岐する。分岐路２１３ｂは、主路２１３ａの端部から主路２１３ａに交差する方向に延びる第１路２１３ｂａと、第１路２１３ｂａと配置空間２０４ａとを繋ぐ第２路２１３ｂｂとにより構成される。
【００３９】
分岐路２１３ｂには、ガスカートリッジ取付部２１０及び第１の弁部２１１が配置される。以下、ガスカートリッジ取付部２１０及び第１の弁部２１１について述べる。ガスカートリッジ取付部２１０は、開封パーツ２１７（後述）を有していて、分岐路２１３ｂの配置空間２０４ａ側の端部に設けられる。ガスカートリッジ取付部２１０には、ガスボンベ１０２のガス噴出口１０２ｂ（図４参照）が取り付けられる。ガスカートリッジ取付部２１０には、第１の弁部２１１が設けられる。第１の弁部２１１は、連通路２１３と配置空間２０４ａとの連通を開閉する。第１の弁部２１１は、逆止弁２１１ａを含む。この逆止弁２１１ａは、弁ボール２１４とボール弁用パッキン２１５とから構成される。
【００４０】
第２路２１３ｂｂには、配置空間２０４ａから、弁ボール２１４、ボール弁用パッキン２１５、第１の補助パッキン２１６、開封パーツ２１７、第２の補助パッキン２１８の順に導入される。弁ボール２１４は、真球形状をなす。ボール弁用パッキン２１５には、受部２１５ａと、貫通孔２１５ｂとが形成されている。受部２１５ａは、貫通孔２１５ｂに対して傾斜する傾斜面を形成し、この傾斜面で弁ボール２１４を受ける。貫通孔２１５ｂは、受部２１５ａから延び、ボール弁用パッキン２１５を貫通する。開封パーツ２１７は、針部２１７ａと、押え部２１７ｂと、嵌合部２１７ｃとを有する。針部２１７ａは、配置空間２０４ａ側に突出する。押え部２１７ｂは、ユニット取付部２０２側に突出し、ボール弁用パッキン２１５を押さえこむ。嵌合部２１７ｃは、第２路２１３ｂｂの内周面に形成された嵌合溝２１３ｃに嵌めこまれる。開封パーツ２１７には、通気孔２１７ｄが形成されている。通気孔２１７ｄは、針部２１７ａと嵌合部２１７ｃとを貫通し、貫通孔２１５ｂに連なる。第１の補助パッキン２１６は、開封パーツ２１７の外側面を囲み、ボール弁用パッキン２１５と嵌合部２１７ｃとに挟まれる。第２の補助パッキン２１８は、第１の補助パッキン２１６とともに嵌合部２１７ｃを挟みこむ。第１の補助パッキン２１６と開封パーツ２１７と第２の補助パッキン２１８とは、いずれも第２路２１３ｂｂに圧入され、第２路２１３ｂｂ内で動かなくなる。これにより、ボール弁用パッキン２１５は、押え部２１７ｂ及び第１の補助パッキン２１６に押さえられ、第２路２１３ｂｂ内で動かなくなる。ここで、弁ボール２１４の直径は、第１路２１３ｂａの内径よりも大きい。このため、弁ボール２１４は、第１路２１３ｂａに転がり込まない。
【００４１】
ここで、第１の弁部２１１は、逆止弁２１１ａに代えて、使用者の操作によって開閉できる手動弁を含んでいても良い。
【００４２】
主路２１３ａには、第２の弁部２１２が配置される。以下、第２の弁部２１２について述べる。第２の弁部２１２は、主路２１３ａの途中に設けられ、連通路２１３と外部空間との連通を開閉する。第２の弁部２１２は、弁体スプリング２１９と、弁体２２０と、弁体用パッキン２２１とを有する。
【００４３】
主路２１３ａには、ユニット取付部２０２に開口する開口部２０２ａから、弁体スプリング２１９、弁体２２０、弁体用パッキン２２１、第３の補助パッキン２２２、圧入部材２２３、ノズル支持部材２２４の順に導入される。弁体用パッキン２２１は、第３の補助パッキン２２２よりも主路２１３ａの内側に僅かに突出し、微小段部２２１ｂを形成する。本実施の形態において、弁体２２０は、主路２１３ａの延びる方向に長い円柱体である。弁体２２０には、通気孔２２０ａが形成される。通気孔２２０ａは、弁体２２０における開口部２０２ａ側の端面と弁体２２０の側面とを繋いでいる。弁体２２０の側面で通気孔２２０ａの開口よりも分岐路２１３ｂ側寄りの箇所には、フランジ部２２０ｂが突出する。弁体スプリング２１９は、フランジ部２２０ｂとスプリング受部２１３ｄとの間に位置し、弁体２２０を開口部２０２ａに向けて押す。なお、スプリング受部２１３ｄは、主路２１３ａと分岐路２１３ｂとの境に設けられ、連通路２１３の内側に向けて迫り出している。弁体用パッキン２２１は、弁体２２０が入り込む貫通孔２２１ａを形成する。弁体用パッキン２２１には、弁体スプリング２１９に押された弁体２２０のフランジ部２２０ｂが押し付けられる。第３の補助パッキン２２２と圧入部材２２３とノズル支持部材２２４とは、弁体用パッキン２２１の開口部２０２ａ側への移動を阻止する。そして、弁体２２０の側面にあらわれる通気孔２２０ａの開口は、貫通孔２２１ａの内周面に接する。これにより、主路２１３ａは遮断される。
【００４４】
図７は、ユニット被取付部１２２ｆが取り付けられた状態の連通路２１３の左断面図である。ところで、ユニット被取付部１２２ｆは、ノズル１２２ｇを有する（図２参照）。ノズル１２２ｇは、ガス導入路１２２ｅに連通している。ノズル１２２ｇの先端の外周は、僅かに凹んでいて、微小段部１２２ｈが形成される。ノズル１２２ｇは、開口部２０２ａから主路２１３ａに挿入される。このようなノズル１２２ｇに対し、ノズル支持部材２２４は、挿入されたノズル１２２ｇの側面を保持し、ノズル支持部材２２４とノズル１２２ｇとの間の隙間を塞ぐ。これにより、挿入されたノズル１２２ｇの内空間と弁体２２０の通気孔２２０ａとは連通する。そして、挿入されたノズル１２２ｇの先端は、弁体２２０を分岐路２１３ｂ側に動かす。ここで、弁体用パッキン２２１の微小段部２２１ｂとノズル１２２ｇの微小段部１２２ｈとが係合することにより、ノズル１２２ｇに押された弁体２２０は、スプリング受部２１３ｄに突き当たらない。このため、弁体スプリング２１９が潰れて主路２１３ａが遮断されることはない。これにより、ノズル１２２ｇの内空間と通気孔２２０ａと主路２１３ａとは連通する。なお、ノズル１２２ｇによって動かされた弁体２２０は、図６において一点鎖線で描かれている。ノズル１２２ｇが主路２１３ａから抜かれると、弁体スプリング２１９は弁体２２０を開口部２０２ａ側に押し、主路２１３ａを遮断する。
【００４５】
ここで、第２の弁部２１２に関する変形例について、図８及び図９に基づいて説明する。図８は、連通路２１３の左断面図である。第２の弁部２１２は、逆止弁２１２ａを含む。この逆止弁２１２ａは、弁ボール２２５と弁体用パッキン２２１とから構成される。弁ボール２２５は、弁体２２０に代えて配置されるもので、真球形状をなす。弁ボール２２５は、弁体スプリング２１９と連通路２１３内の圧縮ガスの圧力とにより、開口部２０２ａ側に押されて、弁ボール２２５が貫通孔２２１ａの縁部に押し付けられる。これにより、主路２１３ａが遮断される。
【００４６】
図９は、ユニット被取付部１２２ｆが取り付けられた状態の連通路２１３の左断面図である。本変形例では、ノズル１２２ｇの先端に、切欠１２２ｉが形成される。ノズル１２２ｇが開口部２０２ａから主路２１３ａに挿入されると、ノズル支持部材２２４とノズル１２２ｇとの間の隙間が塞がれる。そして、挿入されたノズル１２２ｇの先端は、弁ボール２２５を分岐路２１３ｂ側に動かす。これにより、ノズル１２２ｇの内空間と主路２１３ａとは連通する。ここで、切欠１２２ｉがあることにより、ノズル１２２ｇの内空間と主路２１３ａとの連通は確実になる。また、弁体用パッキン２２１の微小段部２２１ｂとノズル１２２ｇの微小段部１２２ｈとが係合することにより、ノズル１２２ｇに押された弁ボール２２５は、スプリング受部２１３ｄに突き当たらない。このため、弁体スプリング２１９が潰れて主路２１３ａが遮断されることはない。なお、ノズル１２２ｇによって動かされた弁ボール２２５は、図８において一点鎖線で描かれている。ノズル１２２ｇが主路２１３ａから抜かれると、弁体スプリング２１９は弁ボール２２５を開口部２０２ａ側に押し、主路２１３ａを遮断する。
【００４７】
ここで、図８及び図９に示す弁ボール２２５が連通路２１３内の圧縮ガスの圧力に押されて弁体用パッキン２２１に押し付けられることを考えると、弁体スプリング２１９は無くてもよい。しかしながら、弁体スプリング２１９があることにより、ノズル１２２ｇが主路２１３ａから抜かれたときに、弁ボール２２５が素早く開口部２０２ａに動いて、主路２１３ａが即座に遮断される。
【００４８】
また、弁体用パッキン２２１における弁ボール２２５との接触箇所に、図６及び図７に示される受部２１５ａのような、貫通孔２２１ａに対して傾斜する傾斜面を形成していてもよい。
【００４９】
第一の実施の形態についての説明に戻る。図１０は、一のガスカートリッジ取付部２１０にのみガスボンベ１０２が取り付けられた状態のボンベ取付器具２０１の左断面図である。図１０中、圧縮ガス空気が満たされている部分は、ドットで埋められている。使用者は、ガスボンベ１０２を、ガスボンベ導入口２０４（図１参照）から配置空間２０４ａに導入する。このとき、第１の端部１０２ａはガスカートリッジ取付部２１０に近づけられ、第２の端部１０２ｄはボンベ押え２０６に近づけられる。続いて、使用者は、ボンベ押え２０６がガスカートリッジ取付部２１０に向かって動くよう、ハンドル２０８を回す。これにより、ガスボンベ１０２の封止材１０２ｃ（図４も参照）には開封パーツ２１７の針部２１７ａが突き刺さる。そして、ガスボンベ１０２内の圧縮ガスが噴出して通気孔２１７ｄに入り込み、弁ボール２１４をボール弁用パッキン２１５から離反させる。これにより、圧縮ガスは、分岐路２１３ｂを通過し、主路２１３ａまで流入し、連通路２１３内の気圧を一気に高める。
【００５０】
ここで、ガスボンベ１０２が取り付けられていないガスカートリッジ取付部２１０（図１０における左側のガスカートリッジ取付部２１０）では、弁ボール２１４が連通路２１３内の気圧におされ、ボール弁用パッキン２１５の受部２１５ａに押し付けられる。このため、ガスボンベ１０２が取り付けられていないガスカートリッジ取付部２１０から圧縮ガスが漏れない。
【００５１】
また、第２の弁部２１２では、弁体スプリング２１９が弁体２２０を押していて、主路２１３ａが遮断されている。このため、ユニット取付部２０２からも圧縮ガスが漏れない。
【００５２】
図１１は、全てのガスカートリッジ取付部２１０にガスボンベ１０２が取り付けられた状態のボンベ取付器具２０１の左断面図である。図１１中、圧縮ガスが満たされている部分は、ドットで埋められている。使用者は、ガスボンベ１０２が取り付けられていないガスカートリッジ取付部２１０に対しても、同様の手順でガスボンベ１０２を取り付ける。これにより、いずれのガスカートリッジ取付部２１０からも圧縮ガスが連通路２１３内に入り込む。
【００５３】
図１２は、全てのガスカートリッジ取付部２１０にガスボンベ１０２が取り付けられたボンベ取付器具２０１を気室ボディ１２２に連結させた状態の左断面図である。図１２中、圧縮ガスが満たされている部分は、ドットで埋められている。使用者は、気室ボディ１２２に設けられたノズル１２２ｇを、ユニット取付部２０２の開口部２０２ａに挿入する。これにより、気室ボディ１２２内のガス導入路１２２ｅとボンベ取付器具２０１内の連通路２１３とが連通する。また、ガスカートリッジ取付部２１０に取り付けられたガスカートリッジ取付部２１０から気室１２６内に圧縮ガスを導くガス導入部３０１が形成される。そして、本実施の形態では、上述のように、ガス導入部３０１がユニット被取付部１２２ｆとユニット取付部２０２とにより連結分離自在になる。そして、使用者がトリガ１０５（図１等参照）を動かして玩具銃１０１の銃口１０３（図１等参照）から弾丸Ｂ（図１等参照）が発射されるたびに、圧縮ガスが、ガス導入部３０１を通じてガスボンベ１０２から供給され、気室１２６内に満たされる。
【００５４】
図１３は、一のガスカートリッジ取付部２１０にのみガスボンベ１０２が取り付けられたボンベ取付器具２０１を気室ボディ１２２に連結させた状態の左断面図である。図１３中、圧縮ガスが満たされている部分は、ドットで埋められている。図１０に示したような、一のガスカートリッジ取付部２１０にのみガスボンベ１０２が取り付けられたボンベ取付器具２０１を気室ボディ１２２に取り付けても、使用者は問題なく玩具銃１０１を使用できる。というのは、前述したように、ガスボンベ１０２が取り付けられていないガスカートリッジ取付部２１０から圧縮ガスが漏れないからである。また、使用者が、全てのガスカートリッジ取付部２１０にガスボンベ１０２が取り付けられたボンベ取付器具２０１を玩具銃１０１に取り付け、その後に一のガスボンベ１０２を取り外しても、ガスボンベ１０２が取り付けられていないガスカートリッジ取付部２１０から圧縮ガスが漏れない。
【００５５】
また、使用者がボンベ取付器具２０１をノズル１２２ｇから外すと、弁体スプリング２１９が弁体２２０を開口部２０２ａ側に押し、主路２１３ａを遮断する。これにより、ガスボンベ１０２内の圧縮ガスが開口部２０２ａから漏れない。
【００５６】
このように、本実施の形態の玩具銃１０１では、ガスボンベ１０２を複数装着できる。また、ガスカートリッジ取付部２１０を第１の弁部２１１によって閉止できる。このために、大型のガスボンベ１０２ではなく小型のガスボンベ１０２を複数用いて玩具銃１０１を使用できるようになる。したがって、玩具銃１０１をガスボンベ１０２の交換無しに長時間使用できるようになる。かつ、ガスボンベ１０２の携帯性が向上する。また、ガスボンベ１０２が小型化できることにより、玩具銃１０１の柔軟な設計が可能になる。そして、第１の弁部２１１が閉じられることで、ボンベ取付器具２０１に一のガスボンベ１０２を取り付けるだけでも玩具銃１０１から弾丸Ｂを発射させることができる。
【００５７】
さらに、本実施の形態の玩具銃１０１では、第１の弁部２１１に逆止弁２１１ａが含まれている。このため、使用者は、ガスボンベ１０２を着脱するときに第１の弁部２１１を開閉する必要がない。
【００５８】
さらに、本実施の形態の玩具銃１０１では、ボンベ取付器具２０１に、ガスカートリッジ取付部２１０と第１の弁部２１１とユニット取付部２０２と第２の弁部２１２とがユニット化されて備わっている。このため、ボンベ取付器具２０１の使い勝手が向上する。
【００５９】
さらに、本実施の形態の玩具銃１０１では、ボンベ取付器具２０１をノズル１２２ｇから取り外したり、いくつかのガスボンベ１０２をボンベ取付器具２０１から取り外しても、圧縮ガスが漏れない。このため、ボンベ取付器具２０１をノズル１２２ｇから取り外してこのボンベ取付器具２０１に取り付けられたガスボンベ１０２を後日使用することができる。ガスボンベ１０２が取り付けられた状態で取り外されたボンベ取付器具２０１を別の玩具銃１０１に取り付けることもできる。
【００６０】
次いで、別の実施の一形態を、図１４に基づいて説明する。本実施の形態を、説明の便宜上、第二の実施の形態と呼ぶ。この場合、第一の実施の形態と同一の部分には同一の符号を用い、説明も省略する。
【００６１】
図１４は、全てのガスカートリッジ取付部２１０が取り付けられた状態の玩具銃１０１の左断面図である。図１４中、圧縮ガスが満たされている部分は、ドットで埋められている。本実施の形態では、第一の実施の形態におけるボンベ取付器具２０１に対応する要素が、気室ボディ１２２に一体的に形成されている。つまり、本実施の形態の気室ボディ１２２からは、ガスボンベ取付部２０１ａが下方に延びている。ガスボンベ取付部２０１ａには、収納空間２０３が形成され、ガスカートリッジ取付部２１０や第１の弁部２１１等のボンベ取付器具２０１に備わっている要素が収納されている。ここで、本実施の形態では、玩具銃１０１は、第２の弁部２１２（図６等参照）を備えていない。また、ガス導入路１２２ｅと主路２１３ａとが共用されている。また、玩具銃１０１には、主路２１３ａと分岐路２１３ｂとの境に位置するスプリング受部２１３ｄ（図６参照）も設けられていない。
【００６２】
本実施の形態の玩具銃１０１でも、第一の実施の形態と同様に、小型のガスボンベ１０２を複数用いることができる。したがって、玩具銃１０１をガスボンベ１０２の交換無しに長時間使用できるようになる。かつ、ガスボンベ１０２の携帯性が向上する。さらに、本実施の形態の玩具銃１０１では、気室ボディ１２２とガスボンベ取付部２０１ａとが分離しないため、ボンベ取付器具２０１（第一の実施の形態参照）を紛失することがない。
【００６３】
次いで、別の実施の一形態を、図１５及び図１６に基づいて説明する。本実施の形態を、説明の便宜上、第三の実施の形態と呼ぶ。本実施の形態は、第二の実施の形態に準じたものである。この場合、第二の実施の形態と同一の部分には同一の符号を用い、説明も省略する。
【００６４】
図１５は、ボンベユニット４０１の左断面図である。本実施の形態では、気室ボディ１２２とガス導入部３０１とガスカートリッジ取付部２１０と第１の弁部２１１とバルブ１２３とは、ボンベユニット４０１としてユニット化されている。ボンベユニット４０１は、特許請求の範囲における「取付器具」に相当する。このボンベユニット４０１は、フレーム１１１に対して着脱自在である。ボンベユニット４０１の構成は、第２の実施の形態における気室ボディ１２２と同じである。すなわち、ボンベユニット４０１は、ガスボンベ取付部２０１ａを延出させた気室ボディ１２２と、気室ボディ１２２に収納されるバルブ１２３とを有する。また、ガス導入部３０１の側面からは、フランジ部３０２が延びている。
【００６５】
図１６は、玩具銃１０１の左断面図である。フレーム１１１の下面には、ボンベユニット４０１を下方から導入するためのスロット１１１ａが設けられる。スロット１１１ａの縁からフレーム１１１の内部に向かって、ボンベユニット４０１を案内するガイド部１１１ｃが延びる。
【００６６】
フレーム１１１の側面には、ストッパ１１１ｄが設けられる。ストッパ１１１ｄは、玩具銃１０１の左右方向にスライド自在となっていて、使用者が動かすことができる。ストッパ１１１ｄは、スロット１１１ａから挿入されたボンベユニット４０１のフランジ部３０２を保持し、ボンベユニット４０１が上下方向に動くことを防ぐ。さらに、図１６に示すように、ストッパ１１１ｄの前方部分の上面は、気室ボディ１２２の前端部の下面を支持する。
【００６７】
フレーム１１１の左右内側面からは、保持突部１１１ｅが突出する。保持突部１１１ｅは、気室ボディ１２２の左右両側面を挟み込み、ボンベユニット４０１が玩具銃１０１の左右方向に動くことを防ぐ。なお、ボルト１２１は、保持突部１１１ｅに干渉されない形状に形成されている。
【００６８】
使用者は、ガスボンベ取付部２０１ａにガスボンベ１０２を取り付けられたボンベユニット４０１を持ち、このボンベユニット４０１の気室ボディ１２２をスロット１１１ａから上方に導入する。気室ボディ１２２はガイド部１１１ｃに案内されて、バレル１１３とバルブ１２３とが同軸に並ぶ位置に位置付けられる。このとき、気室ボディ１２２は、保持突部１１１ｅに挟まれる。続いて、使用者は、ストッパ１１１ｄを動かして、ストッパ１１１ｄにフランジ部３０２を保持させる。この状態で、使用者がトリガ１０５を動かすと、ボルト１２１が前進し、当接部１２１ｅが摺動突起１２３ｂを押し、気室１２６の圧縮ガスがガス排出部１９４を通って弾丸Ｂを押す。その結果、弾丸Ｂが銃口１０３から発射される。
【００６９】
本実施の形態の玩具銃１０１でも、第一の実施の形態と同様に、小型のガスボンベ１０２を複数用いることができる。したがって、玩具銃１０１をガスボンベ１０２の交換無しに長時間使用できるようになる。かつ、ガスボンベ１０２の携帯性が向上する。さらに、本実施の形態の玩具銃１０１では、気室ボディ１２２を交換できる。ここで、気室ボディ１２２には、弾丸Ｂの発射をさせるために重要な気室１２６とバルブ１２３とを有している。このため、使用者は、ボンベユニット４０１を交換することで、玩具銃１０１を通じて様々な狙撃感を楽しむことができる。
【００７０】
第三の実施の形態の変形例として、図１７に示すように、ボンベユニット４０１のガスボンベ取付部２０１ａの側面に、マガジン１１２が取り付けられていても良い。
【００７１】
第三の実施の形態及びその変形例において、フレーム１１１に対するボンベユニット４０１の固定及び解除は、フランジ部３０２及びストッパ１１１ｄを用いることに代えて、以下のようにすることもできる。
【００７２】
フレーム１１１に対するボンベユニット４０１の固定及び解除の一例を示す。左右方向に延び溝を有するマガジンリリース部を、フレーム１１１に設ける。溝には、スロット１１１ａから挿入されたボンベユニット４０１が係合する。マガジンリリース部を動かすと、溝とボンベユニット４０１との係合が解除され、マガジン１１２の取り外しが可能になる。
【００７３】
フレーム１１１に対するボンベユニット４０１の固定及び解除の別の一例を示す。爪部と操作レバー部とを有するマガジンキャッチを、フレーム１１１に連結する。マガジンキャッチの爪部は、バルブ１２３の下面に対して進退自在であり、このバルブ１２３の下面を支持する。マガジンキャッチは、爪部がバルブ１２３の下面に入り込むよう、スプリング等により押されている。使用者が操作レバー部を動かすと、爪部がバルブ１２３の下面に対して退き、ボンベユニット４０１がスロット１１１ａに対して挿抜自在となる。使用者が操作レバー部から手を離すと、爪部が移動してバルブ１２３の下面を支持する。これにより、ボンベユニット４０１がフレーム１１１に対し固定される。
【００７４】
なお、第一から第三のいずれの実施の形態においても、玩具銃１０１は、トリガ１０５を引き続ける限り弾丸Ｂを発射し続ける連射方式のものであるが、本発明は、単射方式の玩具銃にも、点射（バースト）方式の玩具銃にも適用できることは言うまでもない。
【００７５】
また、第一から第三のいずれの実施の形態及びその変形例においても、ガスボンベ１０２はトリガ１０５よりも前方に位置付けられるが、本発明は、ボンベ取付器具２０１やボンベユニット４０１の取付箇所をトリガ１０５よりも後方に設けてガスボンベ１０２がトリガ１０５よりも後方に位置付けられるようにした玩具銃にも適用できることは言うまでもない。
【００７６】
また、各実施の形態及びその変形例で具体的に説明している部分を、他の実施の形態及びその変形例に適宜組み合わせることができるのは、言うまでもない。
【符号の説明】
【００７７】
１０１    玩具銃
１０２    ガスボンベ（ガスカートリッジ）
１２２    気室ボディ
１２２ｆ  ユニット被取付部
１２３    バルブ
１２６    気室
１３０    操作部
１９２    弾丸保持部
１９４    ガス排出部
２０１    ボンベ取付器具（取付器具）
２０２    ユニット取付部
２１０    ガスカートリッジ取付部
２１１    第１の弁部
２１１ａ  逆止弁
２１２    第２の弁部
３０１    ガス導入部
４０１    ボンベユニット（取付器具）
Ｂ        弾丸
【図１】
2012042116.tif 000003
【図２】
2012042116.tif 000004
【図３】
2012042116.tif 000005
【図４】
2012042116.tif 000006
【図５】
2012042116.tif 000007
【図６】
2012042116.tif 000008
【図７】
2012042116.tif 000009
【図８】
2012042116.tif 000010
【図９】
2012042116.tif 000011
【図１０】
2012042116.tif 000012
【図１１】
2012042116.tif 000013
【図１２】
2012042116.tif 000014
【図１３】
2012042116.tif 000015
【図１４】
2012042116.tif 000016
【図１５】
2012042116.tif 000017
【図１６】
2012042116.tif 000018
【図１７】
2012042116.tif 000019